(57)【特許請求の範囲】
【請求項１】
片側から延在する複数のバンドを有する本体部分と、
片側から延在する複数のバンドを有する突起部分と
を備え、前記本体部分から延在するバンドおよび前記突起部分から延在するバンドは、前記本体部分および前記突起部分が身体の四肢の周囲に巻き付けられた場合に、前記本体部分および前記突起部分を一緒に取り付け、
前記突起部分は、前記本体部分上に解放可能に取り付けられ、前記突起部分は、前記本体部分上の異なる場所に位置付け可能である、
治療用圧迫帯。
【請求項２】
前記本体部分および前記突起部分は、フックおよびループの締結具によって一緒に取り付けられる、請求項１に記載の治療用圧迫帯。
【請求項３】
前記本体部分および前記突起部分は、Ｄリングを使用して一緒に取り付けられる、請求項２に記載の治療用圧迫帯。
【請求項４】
前記本体部分から延在するバンドは、前記本体部分および前記突起部分が身体の四肢の周囲に一緒に巻き付けられた場合に、前記突起部分から延在するバンドの間に並置される、請求項１に記載の治療用圧迫帯。
【請求項５】
前記突起部分は、複数のフックおよびループの締結具タブによって前記本体部分に取り付けられる、請求項１に記載の治療用圧迫帯。
【請求項６】
前記バンドは、前記身体の四肢の正面を横切って延在し、前記突起部分は、前記身体の四肢の背面を横切って前記本体部分に取り付けられる、請求項１に記載の治療用圧迫帯。
【請求項７】
前記本体部分から延在するバンドは、前記突起部分から延在するバンドより少ない強度で接着する、請求項１に記載の治療用圧迫帯。
【請求項８】
前記本体部分は、測定指標によってマークされている、請求項１に記載の治療用圧迫帯。
【請求項９】
前記測定指標は、前記身体の四肢の円周に対応している、請求項８に記載の治療用圧迫帯。
【請求項１０】
前記突起部分は、前記本体部分に取り付けられる湾曲縁を有している、請求項１に記載の治療用圧迫帯。
【請求項１１】
前記突起の湾曲縁は、フックおよびループの締結具によって前記本体部分に取り付けられる、請求項１０に記載の治療用圧迫帯。
【請求項１２】
前記突起部分は、前記測定指標と整列される、請求項８に記載の治療用圧迫帯。
【請求項１３】
前記本体部分と前記突起部分との間に位置付けられている中間部分をさらに備えている、請求項１に記載の治療用圧迫帯。
【請求項１４】
前記本体部分および前記突起部分のうちの少なくとも１つは、前記身体の四肢に沿って、前記帯の長さを短縮するための切り取り部分を有している、請求項１に記載の治療用圧迫帯。
【請求項１５】
前記本体部分および前記突起部分が身体の四肢の周囲に一緒に巻き付けられた場合に、前記本体部分から延在するバンドは、前記突起部分に取り付けられ、前記突起部分から延在するバンドは、前記本体部分に取り付けられる、請求項１に記載の治療用圧迫帯。
【請求項１６】
前記本体部分および前記突起部分のうちの少なくとも１つに指向性縫目をさらに備え、前記指向性縫目は、前記身体の四肢に沿って走る高圧力および低圧力の交互チャネルを生成する、請求項１に記載の治療用圧迫帯。
【請求項１７】
治療用圧迫帯を身体の四肢に適合させるためのシステムであって、
前記システムは、身体の四肢の周囲に組み立てられるように構成された治療用圧迫帯を備え、前記治療用圧迫帯は、本体部分と突起部分とを備え、前記本体部分および前記突起部分のうちの少なくとも１つは、片側から延在する複数のバンドを有しており、前記組み立てることは、
（ｉ）前記突起部分を前記本体部分と整列させることと、
（ｉｉ）前記本体部分上に前記突起部分を取り付けることと、
（ｉｉｉ）前記身体の四肢の周囲に前記組み立てられる治療用圧迫帯を巻き付け、一方で前記バンドを締結し、それによって、前記身体の四肢の周囲に帯を固着することと
による、システム。
【請求項１８】
前記身体の四肢の周囲に治療用圧迫帯を組み立てることに先立って、前記身体の四肢の長さに沿って、異なる場所において前記身体の四肢の円周を測定するための手段をさらに備える、請求項１７に記載のシステム。
【請求項１９】
前記突起部分は、前記本体部分または前記突起部分のいずれかにおける測定指標を使用して、前記本体部分と整列させられるように構成されている、請求項１７に記載のシステム。
【請求項２０】
前記本体部分の使用されない部分は、前記身体の四肢の周囲に前記組み立てられる治療用圧迫帯を巻き付けることに先立って、廃棄されるように構成されている、請求項１７に記載のシステム。
【請求項２１】
前記本体部分から延在するバンドは、前記突起部分から延在するバンドの間に並置されるように構成されている、請求項１７に記載のシステム。
【請求項２２】
前記突起部分は、フックおよびループの締結具によって前記本体部分上に取り付けられるように構成されている、請求項１７に記載のシステム。
【請求項２３】
前記バンドは、フックおよびループの締結具によって前記本体部分から前記突起部分上に固着されるように構成されており、そして前記バンドは、フックおよびループの締結具によって前記突起部分から前記本体部分上に固着されるように構成されている、請求項１７に記載のシステム。
【請求項２４】
前記本体部分の一部は、前記バンドが延在する側と反対の側から切り離されるように構成されている、請求項２０に記載のシステム。
【請求項２５】
前記バンドは、前記身体の四肢の正面を横切って一緒に締結され、前記突起部分は、前記身体の四肢の背面を横切って前記本体部分に取り付けられる、請求項１７に記載のシステム。
【請求項２６】
前記本体部分と前記突起部分との取り付けは、前記身体の四肢の正面を横切って延在するバンドが、前記身体の四肢の背面を横切る前記突起部分と前記本体部分との取り付けより少ない強度で接着するように補強されるように構成されている、請求項２５に記載のシステム。
【請求項２７】
（ａ）本体部分と、
（ｂ）突起部分と
を備える治療用圧迫帯であって、前記突起部分および前記本体部分は、前記本体部分および前記突起部分が身体の四肢の周囲に巻き付けられた場合に、一緒に取り付けられ、前記突起部分は、前記本体部分上に解放可能に取り付けられ、前記突起部分は、前記本体部分上の異なる場所に位置付け可能であり、前記本体部分および前記突起部分は、前記帯が前記身体の四肢の輪郭に対して調節されることが可能であるように、一緒に締結される、
治療用圧迫帯。
【請求項２８】
前記本体部分と前記突起部分とは、前記身体の四肢の一方の側を横切って位置付けられたバンドによって、かつ、前記四肢の反対側に沿った前記本体部分と前記突起部分との間の締結タブによって一緒に締結される、請求項２７に記載の治療用圧迫帯。
【請求項２９】
前記締結タブを位置付けることが、前記帯を前記身体の四肢の輪郭に対して調節する、請求項２８に記載の治療用圧迫帯。
【請求項３０】
本体部分と、
突起部分と
を備える治療用圧迫帯であって、前記本体部分および前記突起部分のうちの少なくとも１つは、そこから延在する複数のバンドを有し、前記複数のバンドは、前記本体部分および前記突起部分が身体の四肢の周囲に巻き付けられた場合に、前記本体部分および前記突起部分を一緒に取り付け、前記突起部分は、前記本体部分上に解放可能に取り付けられ、前記突起部分は、前記本体部分上の異なる場所に位置付け可能である、
治療用圧迫帯。
【請求項３１】
前記本体部分および前記突起部分は、フックおよびループの締結具によって一緒に取り付けられる、請求項３０に記載の治療用圧迫帯。
【請求項３２】
前記本体部分および前記突起部分は、反対の部分におけるＤリングまたは孔を通過するバンドを使用して一緒に取り付けられる、請求項３１に記載の治療用圧迫帯。
【請求項３３】
治療用圧迫帯を身体の四肢に適合させるためのシステムであって、
前記システムは、前記身体の四肢の周囲に組み立てられるように構成された治療用圧迫帯を備え、前記治療用圧迫帯は、本体部分と突起部分とを備え、前記本体部分および前記突起部分のうちの少なくとも１つは、片側から延在する複数のバンドを有しており、前記組み立てることは、
（ｉ）前記突起部分を前記本体部分と整列させることと、
（ｉｉ）前記本体部分上に前記突起部分を取り付けることと、
（ｉｉｉ）前記身体の四肢の周囲に前記組み立てられる治療用圧迫帯を巻き付け、一方で前記バンドを締結し、それによって、前記身体の四肢の周囲に帯を固着することと
による、システム。
【請求項３４】
前記突起部分は、前記本体部分または前記突起部分のいずれかにおける測定指標を使用することによって前記本体部分と整列させられるように構成されている、請求項３３に記載のシステム。
【請求項３５】
前記突起部分は、前記本体部分上に解放可能に取り付けられ、前記突起部分は、前記本体部分上の異なる場所に位置付け可能である、請求項１７または３３に記載のシステム。
【発明の詳細な説明】
【技術分野】
【０００１】
（関連出願）
本願は、米国仮特許出願第６１／２６４，２１３号（２００９年１１月２４日出願、名称「Ｇｒａｄｕａｔｅｄ  Ｃｏｍｐｒｅｓｓｉｏｎ  Ｆｏｒ  Ｔｈｅ  Ｔｒｅａｔｍｅｎｔ  Ｏｆ  Ｃｉｒｃｕｌａｔｏｒｙ  Ｄｉｓｏｒｄｅｒｓ」）を基礎とする優先権を主張する。該出願の全体が参照により本明細書に援用される。
【０００２】
（技術分野）
本発明は、リンパ浮腫、浮腫、および静脈疾患等の循環系障害を治療するデバイスに関する。
【背景技術】
【０００３】
リンパ浮腫、浮腫、および静脈疾患等の循環系障害のための一般的治療は、圧迫帯の装着である。現在の圧迫帯は、種々のすぐに装着可能な標準的サイズにおいて利用可能である。残念ながら、人口の大半に適合するために、すぐに装着可能な帯を流通させる際、幅広い在庫を手元に置かなければならない。圧迫帯は、より良い適合を得るために、円周または長さを修正することができるように設計されているが、依然として、「最近似」サイズが選択されなければならない。
【０００４】
代替として、また、対処の形式として、特注帯も生産されている。残念ながら、これらの特注帯の測定、定寸、および注文は、時間がかかり、依然として、適切に適合された圧迫帯をもたらさないことがある。標準的なすぐに装着可能なサイズの範囲外である四肢の場合、カスタム帯が、四肢の曲率、長さ、および円周に一致するように構築される必要がある。その結果、多くの測定が、これらのカスタム帯を作製するために必要となり、帯の測定、注文、生産の間に一定の期間が存在し、四肢の外形が変化し、患者がその帯を受け取るまでにかかった時間のため、不適切な適合をもたらす可能性がある。
【０００５】
種々の圧迫帯は、より長いバンドが、患者に適合するために、最大サイズから切断される、裁断適合法を試みている。残念ながら、これらのバンドは、四肢の形状に最適に一致するように、別個または対で裁断され、角度付けられる必要がある。これは、緩慢かつ時間がかかるプロセスである。各バンドの正確な長さおよび角度を算出することは、非常に困難であり得、多くの場合、バンドを完全な被覆を得るために重複させる必要があることから、より困難となる。
【０００６】
包帯等の他の圧迫モダリティもまた、使用されている。包帯の利点は、１つの在庫セットによって、１００％の人口に対して使用することができることである。残念ながら、包帯は、非常に時間がかかり、標準的圧迫帯と比較して、迅速かつ容易な用途の利点を有していない。加えて、包帯は、信頼性があり／一貫した圧迫レベルを提供するように保証されておらず、四肢形状および圧迫が変化する必要がある場合に、調節されることができない。
【発明の概要】
【課題を解決するための手段】
【０００７】
本発明は、特定の患者の四肢の円周外形に一致するように、容易かつ迅速に調整することができる、１サイズですべてに適合する圧迫帯を提供する。
【０００８】
好ましい実施形態では、本発明は、片側から延在する複数のバンドを有する、本体部分と、片側から延在する複数のバンドを有する、突起部分とを備え、本体部分から延在するバンドおよび突起部分から延在するバンドは、本体および突起部分が身体の四肢の周囲に巻き付けられた場合に、本体および突起部分を一緒に取り付け、突起部分は、突起部分が、本体部分上の異なる場所に位置付け可能なように、本体部分上に解放可能に取り付けられる、治療用圧迫帯を提供する。本発明は、治療用の圧迫を提供する。突起部分は、帯が、特定の患者の四肢に最適に適合するように、好ましい場所において、本体部分に取り付けられる。
【０００９】
治療用圧迫帯は、最初に、上部位置、底部位置における患者の四肢の円周、次いで、四肢の長さを測定することによって、患者の四肢の上に適合され得る。次に、帯が、（ｉ）（本体または突起部分の一方または他方上の）測定指標を使用して、突起部分および本体部分を整列し、（ｉｉ）本体部分上に突起部分を取り付け、（ｉｉｉ）随意に、本体部分の使用されない部分を廃棄し、次いで、（ｉｖ）組み立てられる治療用圧迫帯を患者の四肢の周囲に巻き付け、それによって、バンドをその適切な場所に固着することによって、取り付けられる。
【００１０】
明細書を通して、本発明は、患者の腕または脚のいずれかで使用され得、脚を参照する実施例は、単に、例示であって、限定ではないことを理解されたい。
【００１１】
好ましくは、本体および突起部分が、最初に、マジックテープ（登録商標）によって一緒に取り付けられるように、マジックテープ（登録商標）が使用される。次いで、この後、２つの部品から成るデバイスは、連続的１つの部品から成る帯となるであろう。次に、結果として生じる１つの部品から成る帯は、次いで、四肢の背後に位置付けられ、開放正面側が、次いで、巻き付けられ、患者の四肢の正面の周囲に一緒に締結されるであろう。好ましくは、本体および突起部分を一緒に保持するマジックテープ（登録商標）は、帯が適用された場合に、本体および突起部分へのバンドを保持するマジックテープ（登録商標）より強力である。したがって、帯を緊締、調節、または除去するために、バンドを引っ張ることによって、本体および突起部分が引き離されることはないであろう。したがって、ユーザは、他のバンドを取り外す際、突起取り付けを偶発的に係脱させる可能性が低くなるであろう。
【００１２】
好ましい実施形態では、本体部分の上面および底部縁は、測定指標によってマークされ、突起部分の湾曲縁は、以下のように、これらの測定指標と整列される。最初に、突起部分の上面は、患者の四肢の上部位置で行われた円周測定に対応する本体部分上の測定指標と整列され、突起部分の底部は、患者の四肢の底部位置で行われた円周測定に対応する本体部分上の測定指標と整列される。次いで、突起部分が、１つ以上のマジックテープ（登録商標）タブ（突起部分の湾曲縁に沿って位置付けられる）によって、本体部分上に取り付けられる。他の実施形態では、測定指標は、突起または本体部分のいずれかの中央部分に沿って表示される。本発明の種々の実施形態では、これらの測定指標は、特定の患者の身体の四肢の円周に、または小、中、大、および特大等、一般的身体の四肢サイズに対応する。
【００１３】
種々の実施形態では、本体および突起部分が、一緒に締結された後（但し、帯を患者の四肢の周囲に巻き付ける前）、必要に応じて、ユーザは、単に、使用されない部分を切り離すことによって、使用されない部分を廃棄する。
【００１４】
本帯の利点は、すべての患者に対して、１つのサイズで提供することができることである（帯の実際の定寸および調節は、療法士、またはエンドユーザ、または臨床医によって行うことができるため）。本帯の別の利点は、装着が単純であって、臨床医またはエンドユーザが、適宜、成形、正確に定寸、および調節することが非常に容易であることである。
本発明はさらに、例えば、以下を提供する。
（項目１）
片側から延在する複数のバンドを有する本体部分と、
片側から延在する複数のバンドを有する突起部分と
を備え、前記本体部分から延在するバンドおよび前記突起部分から延在するバンドは、前記本体および突起部分が身体の四肢の周囲に巻き付けられた場合に、前記本体および突起部分を一緒に取り付け、
前記突起部分は、前記本体部分上に解放可能に取り付けられ、前記突起部分は、前記本体部分上の異なる場所に位置付け可能である、
治療用圧迫帯。
（項目２）
前記本体および突起部分は、マジックテープ（登録商標）によって一緒に取り付けられる、項目１に記載の治療用圧迫帯。
（項目３）
前記本体および突起部分は、Ｄリングを使用して一緒に取り付けられる、項目２に記載の治療用圧迫帯。
（項目４）
前記本体部分から延在するバンドは、前記本体および突起部分が身体の四肢の周囲に一緒に巻き付けられた場合に、前記突起部分から延在するバンドの間に並置される、項目１に記載の治療用圧迫帯。
（項目５）
前記突起部分は、複数のマジックテープ（登録商標）タブによって前記本体部分に取り付けられる、項目１に記載の治療用圧迫帯。
（項目６）
前記バンドは、前記身体の四肢の正面を横切って延在し、前記突起部分は、前記身体の四肢の背面を横切って前記本体部分に取り付けられる、項目１に記載の治療用圧迫帯。
（項目７）
前記本体部分から延在するバンドは、前記突起部分から延在するバンドより少ない強度で接着する、項目１に記載の治療用圧迫帯。
（項目８）
前記本体部分は、測定指標によってマークされている、項目１に記載の治療用圧迫帯。
（項目９）
前記測定指標は、前記身体の四肢の円周に対応している、項目８に記載の治療用圧迫帯。
（項目１０）
前記突起部分は、前記本体部分に取り付けられる湾曲縁を有している、項目１に記載の治療用圧迫帯。
（項目１１）
前記突起の湾曲縁は、マジックテープ（登録商標）によって前記本体部分に取り付けられる、項目１０に記載の治療用圧迫帯。
（項目１２）
前記突起部分は、前記測定指標と整列される、項目８に記載の治療用圧迫帯。
（項目１３）
前記本体と突起部分との間に位置付けられている中間部分をさらに備えている、項目１に記載の治療用圧迫帯。
（項目１４）
前記本体および突起部分のうちの少なくとも１つは、前記身体の四肢に沿って、前記帯の長さを短縮するための切り取り部分を有している、項目１に記載の治療用圧迫帯。
（項目１５）
前記本体および突起部分が身体の四肢の周囲に一緒に巻き付けられた場合に、前記本体部分から延在するバンドは、前記突起部分に取り付けられ、前記突起部分から延在するバンドは、前記本体部分に取り付けられる、項目１に記載の治療用圧迫帯。
（項目１６）
前記本体および突起部分のうちの少なくとも１つに指向性縫目をさらに備え、前記少なくとも１つに指向性縫目は、前記身体の四肢に沿って走る高圧力および低圧力の交互チャネルを生成する、項目１に記載の治療用圧迫帯。
（項目１７）
治療用圧迫帯を身体の四肢に適合させる方法であって、
前記方法は、身体の四肢の周囲に治療用圧迫帯を組み立てることを含み、前記治療用圧迫帯は、本体部分と突起部分とを備え、前記本体および突起部分のうちの少なくとも１つは、片側から延在する複数のバンドを有しており、前記組み立てることは、
（ｉ）前記突起部分を前記本体部分と整列させることと、
（ｉｉ）前記本体部分上に前記突起部分を取り付けることと、
（ｉｉｉ）前記身体の四肢の周囲に前記組み立てられる治療用圧迫帯を巻き付け、一方で前記バンドを締結し、それによって、前記身体の四肢の周囲に帯を固着することと
による、方法。
（項目１８）
前記身体の四肢の周囲に治療用圧迫帯を組み立てることに先立って、前記身体の四肢の長さに沿って、異なる場所において前記身体の四肢の円周を測定することをさらに含む、項目１７に記載の方法。
（項目１９）
前記本体または突起部分のいずれかにおける測定指標を使用して、前記突起部分を前記本体部分と整列させることをさらに含む、項目１７に記載の方法。
（項目２０）
（ｉｖ）前記身体の四肢の周囲に前記組み立てられる治療用圧迫帯を巻き付けることに先立って、前記本体部分の使用されない部分を廃棄することをさらに含む、項目１７に記載の方法。
（項目２１）
前記本体の側および前記突起部分の側から延在するバンドを一緒に締結することは、前記本体部分から延在するバンドを前記突起部分から延在するバンドの間に並置することを含む、項目１７に記載の方法。
（項目２２）
前記本体部分上に前記突起部分を取り付けることは、マジックテープ（登録商標）によって前記本体部分上に前記突起部分を取り付けることを含む、項目１７に記載の方法。
（項目２３）
前記組み立てられる治療用圧迫帯を前記四肢野周囲に巻き付けることは、マジックテープ（登録商標）によって前記本体部分からのバンドを前記突起部分上に固着することと、マジックテープ（登録商標）によって前記突起部分からのバンドを前記本体部分上に固着することとを含む、項目１７に記載の方法。
（項目２４）
前記本体部分の使用されない部分を廃棄することは、前記バンドが延在する側と反対の側から、前記本体部分の一部を切り離すことを含む、項目２０に記載の方法。
（項目２５）
前記バンドは、前記身体の四肢の正面を横切って一緒に締結され、前記突起部分は、前記身体の四肢の背面を横切って前記本体部分に取り付けられる、項目１７に記載の方法。
（項目２６）
前記本体および突起部分の取り付けを補強することをさらに含み、それによって、前記身体の四肢の正面を横切って延在するバンドは、前記身体の四肢の背面を横切る前記突起部分と前記本体部分との取り付けより少ない強度で接着する、項目２５に記載の方法。
（項目２７）
本体と、
前記本体の外部の接着タブと
を備え、
前記接着タブは、前記本体の外部の種々の場所に位置付けられることが可能であり、それによって、前記本体をそれ自身の上に折り重ねさせ、前記本体の円周を変化させる、
治療用圧迫帯。
（項目２８）
前記本体の外部は、前記接着タブを位置付けるための測定指標を有している、項目２７に記載の治療用圧迫帯。
（項目２９）
前記本体の外部の周囲に巻き付く複数のバンドをさらに備え、前記複数のバンドは、前記帯を前記身体の四肢の周囲に緊締する、項目２７に記載の治療用圧迫帯。
（項目３０）
治療用圧迫帯を身体の四肢に適合させる方法であって、
（ａ）身体の四肢の周囲に治療用圧迫帯を位置付けることであって、前記治療用圧迫帯は、その外部表面上に接着タブを伴う本体を備えている、ことと、
（ｂ）前記帯が、それ自身の上に折り重なり、治療用の圧迫を前記身体の四肢に適用するように、前記本体の外部上の場所に前記接着タブを位置付けることと
を含む、方法。
（項目３１）
（ｃ）前記接着タブを位置付けることに先立って、前記身体の四肢の長さに沿って、異なる場所において前記身体の四肢の円周を測定することをさらに含む、項目３０に記載の方法。
（項目３２）
（ｄ）前記本体上の測定指標を使用して、前記接着タブを位置付けることをさらに含む、項目３１に記載の方法。
（項目３３）
（ａ）本体部分と、
（ｂ）突起部分と
を備え、前記突起および本体部分は、前記本体および突起部分が身体の四肢の周囲に巻き付けられた場合に、一緒に取り付けられ、前記突起部分は、前記本体部分上に解放可能に取り付けられ、前記突起部分は、前記本体部分上の異なる場所に位置付け可能であり、前記本体および突起部分は、前記帯が前記身体の四肢の輪郭に対して調節されることが可能であるように、一緒に締結される、
治療用圧迫帯。
（項目３４）
前記本体部分と前記突起部分とは、前記身体の四肢の一方の側を横切って位置付けられたバンドによって、かつ、前記四肢の反対側に沿った前記本体と突起部分との間の締結タブによって一緒に締結される、項目３３に記載の治療用圧迫帯。
（項目３５）
前記締結タブを位置付けることが、前記帯を前記身体の四肢の輪郭に対して調節する、項目３４に記載の治療用圧迫帯。
（項目３６）
本体部分と、
突起部分と
を備え、前記本体および突起部分のうちの少なくとも１つは、そこから延在する複数のバンドを有し、前記複数のバンドは、前記本体および突起部分が身体の四肢の周囲に巻き付けられた場合に、前記本体および突起部分を一緒に取り付け、前記突起部分は、前記本体部分上に解放可能に取り付けられ、前記突起部分は、前記本体部分上の異なる場所に位置付け可能である、
治療用圧迫帯。
（項目３７）
前記本体および突起部分は、マジックテープ（登録商標）によって一緒に取り付けられる、項目３６に記載の治療用圧迫帯。
（項目３８）
前記本体および突起部分は、反対の部分におけるＤリングまたは孔を通過するバンドを使用して一緒に取り付けられる、項目３７に記載の治療用圧迫帯。
（項目３９）
治療用圧迫帯を身体の四肢に適合させる方法であって、
前記方法は、前記身体の四肢の周囲に治療用圧迫帯を組み立てることを含み、前記治療用圧迫帯は、本体部分と突起部分とを備え、前記本体および突起部分のうちの少なくとも１つは、片側から延在する複数のバンド有しており、前記組み立てることは、
（ｉ）前記突起部分を前記本体部分と整列させることと、
（ｉｉ）前記本体部分上に前記突起部分を取り付けることと、
（ｉｉｉ）前記身体の四肢の周囲に前記組み立てられる治療用圧迫帯を巻き付け、一方で前記バンドを締結し、それによって、前記身体の四肢の周囲に帯を固着することと
による、方法。
（項目４０）
前記突起部分を前記本体部分と整列させることは、前記本体または突起部分のいずれかにおける測定指標を使用することを含む、項目３９に記載の方法。
【図面の簡単な説明】
【００１５】
【図１Ａ】図１Ａは、本体および突起部分を一緒に取り付ける前の帯の例証である。
【図２】図２Ａは、本体および突起部分の整列を示す、帯の上部の拡大図である。図２Ｂは、本体および突起部分の整列を示す、帯の底部の拡大図である。
【図３】図３Ａは、（小さい足首およびふくらはぎを有する患者に好適な）本体および突起部分の第１の整列の例証である。図３Ｂは、（小さい足首および中程度のふくらはぎを有する患者に好適な）本体および突起部分の第２の整列の例証である。図３Ｃは、（小さい足首および大きいふくらはぎを有する患者に好適な）本体および突起部分の第３の整列の例証である。
【図４】図４は、本体および突起部分が一緒に取り付けられた後、本体部分の使用されない部分を廃棄することの例証である。
【図５】図５Ａおよび５Ｂは、その脚の周囲に帯を巻き付ける患者の連続的例証である。
【図６】図６Ａおよび６Ｂは、本発明の第２の実施形態である。
【図７Ａ】図７Ａおよび７Ｂは、本発明の第３の実施形態である。
【図７Ｂ】図７Ａおよび７Ｂは、本発明の第３の実施形態である。
【図８】図８は、本発明の第４の実施形態である。
【図９】図９は、本発明の第５の実施形態である。
【図１０】図１０は、本発明の第６の実施形態である。
【図１１】図１１Ａは、本発明の第７の実施形態である。図１１Ｂは、図１１Ａの帯のバンドタブフック取り付けの投影図である。図１１Ｃは、図１１Ａの帯の一部の投影図である。図１１Ｄは、図１１Ａの帯のステーを含む、突起タブフック取り付けの投影図である。
【図１２】図１２Ａは、図１１Ａに示される帯の裏面の図である。図１２Ｂは、図１２Ａの帯の一部の投影図である。
【図１３Ａ】図１３Ａは、（例証を明確にするために、バンドが除去された）開放位置にある、本発明の第８の実施形態である。
【図１３Ｂ】図１３Ｂは、（例証を明確にするために、バンドが除去された）閉鎖位置にある、図１３Ａの帯である。
【図１３Ｃ】図１３Ｃは、（バンドが図示された）図１３Ａに対応する例証である。
【図１３Ｄ】図１３Ｄは、図１３Ｂに対応する上面平面図である。
【発明を実施するための形態】
【００１６】
最初に、図１Ａから５Ｂを参照すると、治療用圧迫帯１０が提供される。帯１０は、本体部分２０および突起部分３０の２つの部品から成る。本体部分２０は、図示されるように、片側から延在する、複数のバンド２２を有する。突起部分３０も同様に、図示されるように、その両側のうちの１つから延在する、複数のバンド３２を有する。
【００１７】
説明されるように、本体部分２０から延在するバンド２２は、帯１０が、患者の四肢の周囲に巻き付けられた場合に、突起部分３０から延在するバンド３２間に並置される。具体的には、図５Ａおよび５Ｂに見られるように、バンド２２は、突起部分３０上に締結され、バンド３２は、本体部分２０上に締結される。最も好ましくは、バンド２２および３２は、Ｖｅｌｃｒｏ（登録商標）（すなわち、マジックテープ（登録商標））端を有する。同様に、本体部分２０および突起部分３０の表面もまた、対応するＶｅｌｃｒｏ（登録商標）（すなわち、マジックテープ（登録商標））表面で被覆される。いくつかの実施形態では、バンド２２および３２は、突起仕切り（すなわち、本体と突起部分との間の接続点）を越えて、それぞれ、それら自身の部分の上に戻るように延在し得る。
【００１８】
動作時、治療用圧迫帯１０は、以下のように、患者の四肢上に適合される。最初に、患者（または、他の患者を補助する人物）は、上部位置および底部位置における四肢の円周ならびに四肢の長さを測定する。例えば、四肢は、脚であって、上部位置は、ふくらはぎであって、底部位置は、足首であって、足首から膝のひだまでの脚の長さが、好ましい帯長を決定するであろう。
【００１９】
次に、患者は、（ｉ）突起部分３０を本体部分２０上の測定指標と整列させ（拡大図２Ａおよび２Ｂに見られるように）、（ｉｉ）突起部分３０を本体部分２０上に取り付け、（ｉｉｉ）本体部分２０の任意の使用されない部分を廃棄し、次いで、（ｉｖ）組み立てられる治療用圧迫帯１０をその脚の周囲に巻き付ける（バンド２２および３２を並置し、それによって、バンド２２を突起部分３０上に、およびバンド３２を本体部分２０上に、固着しながら）ことによって、治療用圧迫帯１０をその四肢の周囲に組み立てる。その結果、図１Ａに示される、２つの部品から成る帯は、最初に、１つの部品から成る帯に変化される。次に、図４に示されるように、本体部分２０の使用されない部分２０Ａが、廃棄される。最後に、図５Ａおよび５Ｂに示されるように、帯１０は、患者の脚の周囲に巻き付けられる。
【００２０】
図３Ａから３Ｃから分かるように、突起部分３０は、本体部分２０上に解放可能に取り付けられる。その結果、突起部分３０は、本体部分２０上の異なる場所に位置付け可能である。これは、突起部分３０が、患者の四肢の寸法に応じて、異なる場所に位置付けられることを可能にする。好ましくは、本体および突起部分２０および３０は、単に、マジックテープ（登録商標）によって一緒に取り付けられる。例証されるように、突起３０は、突起３０の湾曲縁に沿って配置される、３つの締結タブ３４を有し得る（バンド３２が延在する側と反対）。締結タブ３４間に選択される間隔は、帯１０が、３次元形状（単に、平坦に置かれるのとは対照的に）を取り始めるように、突起湾曲（すなわち、それに沿って、本体および突起部分２０および３０が、締結タブ３４によって一緒に取り付けられる、接続）が位置付けられることを可能にする。この成形は、帯が四肢の輪郭に最適に適合するのを支援する。
【００２１】
図示されるように、本体部分２０は、好ましくは、平行な上部縁２１および底部縁２３を有する。本体部分のこれらの上部および底部縁２１および２３は、測定指標によってマークされる。図２Ａおよび２Ｂの拡大図に見られるように、突起部分３０の湾曲縁は、本体部分２０の上部および底部縁２１および２３上の測定指標と整列される。突起部分３０を本体部分２０上の測定指標と整列することは、突起部分３０の上部３１を、患者の四肢の上部位置（例えば、ふくらはぎ）で行われた円周測定に対応する、本体部分２０の上部２１の測定指標と整列させることを含む。また、同様に、突起部分３０を整列することは、突起部分３０の底部３を、患者の四肢上の底部位置（例えば、足首）で行われた円周測定に対応する、本体部分２０の底部２３上の測定指標と整列させることを含む。
【００２２】
適合は、患者の足首およびふくらはぎの円周を測定することによって行われる。これらの円周測定は、本体部分２０の上部縁２１および底部縁２３に沿って、指標マーキングの範囲によって、表される。底部マーキングは、足首円周を反映し、上部マーキングは、ふくらはぎ円周を反映する。突起部分３０からのフックタブ３４は、患者の足首およびふくらはぎ円周測定が、マークされた範囲内に来るように、本体部分２０に固着される。各タブ３４は、タブ間の間隔および使用される材料の任意の弾性によって、独立して角度付けることができる。これによって、突起タブ３４は、突起部分３０に沿って、上部から底部への平滑な遷移を生成するようにさらに調節することができる。突起の既に湾曲された縁は、四肢の自然輪郭を模倣する補助をする。本特徴は、調節可能突起タブ３４とともに、帯をほぼ任意の四肢サイズおよび形状に調節可能にする。
【００２３】
図３Ａから３Ｃに見られるように、種々の異なる整列位置が可能である（各位置は、特定の患者の正確な足首およびふくらはぎ測定に依存するため）。具体的には、図３Ａは、小さい足首およびふくらはぎを有する、患者を例証する。図３Ｂは、小さい足首および中間のふくらはぎを有する患者を例証する。図３Ｃは、小さい足首および大きいふくらはぎを有する患者を例証するが、脚のプロポーションの任意の変形例に対応することができる。突起部分３０が、適切に整列された後、次いで、単に、マジックテープ（登録商標）３４によって、定位置に保持されるように、本体部分２０に対して押圧される（注記：本体部分２０および突起部分３０の側は、好ましくは、マジックテープ（登録商標）表面によって被覆される）。
【００２４】
次に、図４に示されるように、突起部分３０が、単に、側方に引き戻され、次いで、患者／臨床医が、本体部分２０の使用されない部分（２０Ａとして指定される）を切断する。したがって、使用されない部分２０Ａは、バンド２２が延在する側と反対側から除去される。
【００２５】
次に、図５Ａおよび５Ｂに見られるように、次いで、組み立てられた帯１０が、脚の正面の周囲に巻き付けられ、それによって、バンド２２を突起部分３０上に固着し、バンド３２を本体部分２０上に固着する。したがって、バンド２２は、単に、マジックテープ（登録商標）によって突起部分３０上に締結される。同様に、バンド３２は、マジックテープ（登録商標）によって本体部分２０に取り付けられる。好ましくは、本体および突起部分２０および３０を一緒に保持するマジックテープ（登録商標）は、バンド２２および３２を本体および突起部分２０または３０のいずれかに保持するマジックテープ（登録商標）より強力である。その結果、バンド２２および３２を帯の正面に緊締、調節、または係脱することによって、帯の後方において、本体および突起部分２０および３０が引き離されることはない。好ましいマジックテープ（登録商標）強度差は、ユーザに、治療用帯の除去または調節の際、どのフックタブが係脱されるべきかについての付加的誘導を提供する。随意に、１つ以上の補強タブ４０（図１１Ａ参照）もまた、さらに、本体および突起部分２０および３０を一緒に固着するために使用することができる。補強タブ４０は、同様に、本体および突起部分２０および３０の上に直接取り付け得るように、マジックテープ（登録商標）表面から成ることができる（突起と本体間の接続が、帯の後方に沿って係脱される危険性を低減する）。
【００２６】
マジックテープ（登録商標）は、バンド２２および３２の端部の表面上に直接固着（すなわち、縫合）され得る。対照的に、マジックテープ（登録商標）は、随意に、本体および突起部分２０および３０の縁から延在し得る。その結果、本体および突起部分２０および３０上へのマジックテープ（登録商標）の追加は、最終帯厚にいかなる有意な厚さも加えず、偶発的突起タブ３４の除去の危険性を低減するであろう。
【００２７】
例証されるように、３つのタブ３４が存在する。本発明は、任意の数のタブ３４を包含することを理解されたい。例えば、付加的より小さいタブ（例えば、４つ以上）の使用は、四肢外形により一致することができるが、しかしながら、より調節が必要となるであろう。本体部分接続への突起の接着強度はまた、突起タブ３４の数の増加によって、低減され得る。反対に、現在利用可能なフック材料は、本質的に、非弾性であって、容易に屈曲しないため、より少ないタブ３４（１つまたは２つ）の使用は、突起が四肢の輪郭を成す能力を低下させる。弾性の柔軟なフックが使用される場合、突起部分３０の湾曲部分全体が、１つのタブから作製され得る。
【００２８】
代替として、帯１０は、ユーザに、既に一緒に締結された部分２０および３０（対向する本体部分２０および突起部分３０に締結される、バンド２２および３２を介して）とともに提供され得る。本状況では、適合は、本体部分２０の自由端を四肢に対して保持し、突起部分３０が、四肢を包囲し、本体部分２０の自由端の外側に重複して戻るように、四肢の周囲に帯を巻き付けることによって行われるであろう。次いで、突起部分３０は、帯が可能な限りぴったりするように、本体部分２０に取り付けられる。さらなる適合は、四肢外形を模倣し、さらに、帯の適合を成形し、四肢の形状に一致させるために、各個々のフックタブ３４を引っ張ることによって達成される。
【００２９】
帯が、適合され、本体および突起部分が、完全に一緒に固着されると、帯は、並置されたバンド２２および３２を係脱することによって、除去される。除去された場合に、本体突起間の取り付けはさらに、材料を平滑にすること、または突起フックタブ３４間の完全な遷移のために微調整を行うことによって、固着することができる。余剰材料は、突起フックタブ３４の内側縁に追従して、裁断することができる。
【００３０】
図６Ａおよび６Ｂは、突起部分３０が、バンド３２が延在する側と反対に、直線縁を有する、本発明の第２の実施形態を例証する。具体的には、図６Ａは、帯の内部（すなわち、皮膚に対して留置される表面）を示す。図６Ｂは、バンド２２および３２が、帯の外側表面上に取り付けられた後の対応する外部図を示す。これまでの図では、突起３０上の湾曲縁は、四肢の輪郭を成す突起部分３０の能力を増加させる。これは、足首における円周が、概して、湾曲輪郭を生成する、ふくらはぎにおける円周より小さいためである。したがって、湾曲縁突起（図１Ａから５Ｂに見られる）は、四肢外形の湾曲に最適に一致する。対照的に、直線突起（図６Ａおよび６Ｂ）の使用は、湾曲突起を伴う場合より、材料を伸張させ、調節することになるだろう。したがって、図６Ａおよび６Ｂにおける実施形態では、帯１０は、好ましくは、弾性または限定伸縮材料から成る。また、図６Ａおよび６Ｂに見られるように、本体部分２０は、切り取りタブ２３を有し、ユーザに、デバイスの上部（または、底部）部分を切り取らせ、それによって、身体の四肢上のデバイスの長さを短縮し得る。具体的には、ユーザは、点線２７のうちの１つである点線に沿って、本体部分２０を横切って、水平に切断することによって、デバイスの高さの一部を切断可能である。同様に、切り取りタブは、突起部分３０上にも見出され、突起部分３０の高さを裁断し得る。代替として、例証されるように、バンド３２の端部のＶｅｌｃｒｏ（登録商標）マジックテーブは、その間に間隙３７を有し得る。ユーザが、帯の高さを裁断することを所望する場合（すなわち、身体の四肢に沿ったその長さ）、ユーザは、例証される点線のうちの１つに沿って、突起部分３０を横切って、水平に切断することによって、デバイスの高さの一部を切断可能である。
【００３１】
また、本実施形態では、本体部分２０は、小、中、大、および特大（Ｓ、Ｍ、Ｌ、ＸＬ）等、より一般的サイズを指定する、測定指標を有する。線は、「小さい」脚を伴うユーザが、線２４Ａに沿って切断する一方、「中程度の」脚を伴うユーザが、線２４Ｂに沿って切断し、部分２０Ａを廃棄するように、本体２０上の上部から底部に引くことができる。そのような線２４Ａ、２４Ｂ等は、破棄する部分２０Ａのサイズについての「おおよその目安」を提供する。注記：類似線（マーキングまたは穿孔のいずれかであり得る）が、突起場所への最終調節を行う前に、未使用本体部分２０Ａの有意な部分の除去の方法として、図１Ａの帯と使用され得、したがって、患者は、本体部分２０の残りの部分を除去する前に、突起の配置を容易に試験することが可能となる。
【００３２】
本システムの利点の１つは、時間のかかる長さ調節の必要性が排除されることである。代わりに、２つ所定の長さのモデル（すなわち、本体部分２０および突起部分３０）のみ、ストックされる必要がある。これは、有利には、必要とされる在庫空間を縮小する。
【００３３】
市場で現在調節可能な設計はすべて、バンド長を裁断し、および／またはその角度を調節し、帯を四肢に適合させることに依存する。本発明は、任意のバンド調節から独立して、四肢の輪郭に一致するように、帯の本体を調節する。調節のために使用される、突起または第２のバンドセットを伴う、現在の圧迫帯は、使用を困難にする重複調節点を有している。対照的に、本発明は、いくつかのバンドの裁断および角度付けと比較して、３つのタブ３４のみの固着および１つの部品２０の裁断を必要とする。
【００３４】
既存の圧迫デバイスでは、長さ調節は、典型的には、完成セットのバンドを切断することによって行われる。対照的に、本発明は、勾配圧迫を維持し、切断によって弱まり得る任意の組み立てられた材料を切断しないように、バンドの幅を裁断する。加えて、本発明は、典型的には、包帯アプローチにおいて使用される、３つまたは４つの層と比較して、１層システムである。
【００３５】
圧迫バンド係合設計（重複、並置、相互係止、Ｄリング等）に関わらず、本設計は、１つのサイズですべてに適合する帯に変換することができる。また、適合が四肢上の円周方向に行われる場所に関わらず、脚の輪郭に一致するであろう。ユーザが、適合の際、適合突起をすね領域に適用し、圧迫バンドが適用のためにすねの領域に容易にアクセス可能であるように、次いで、ふくらはぎの後方にそれ位置付けた場合、帯は、依然として、四肢の輪郭に一致するであろう。
【００３６】
以前の圧迫帯モデルはすべて、帯の中心に／対称的に位置する、突起または湾曲点に依存する。適合させるために裁断を行うものの場合、材料は、帯の両側またはバンド端から等しく切断される。対照的に、本発明は、帯の中心点に来るかどうかを問わず、四肢の輪郭に一致するように、迅速かつ容易に調節することができるという点において独特である。
【００３７】
適切な圧迫状態に帯を適合および適用するのは、典型的には、５分未満で行うことができる。これは、四肢に包帯し、標準的サイズ帯を定寸し、適合する、または特注帯を測定および生産するのにかかる時間を遥かに上回る。
【００３８】
随意に、本発明はまた、「Ｂｕｉｌｔ−ｉｎ  Ｐｒｅｓｓｕｒｅ  ＳｙｓｔｅｍＴＭ」および案内カードを含む。患者の足首の円周測定は、患者のためのＢｕｉｌｔ−ｉｎ  Ｐｒｅｓｓｕｒｅ  Ｓｙｓｔｅｍカード上で適切な範囲を決定する。これは、患者の足首円周を通常サイズに変換する必要性を排除し、さらに、適合プロセスを簡略化する。Ｂｕｉｌｔ−ｉｎ  Ｐｒｅｓｓｕｒｅ  Ｓｙｓｔｅｍカードは、患者が、規定量の圧迫に帯を調節することを可能にする。
【００３９】
図７Ａは、帯１０が、バンド３２の端部に取り付けられたＤリング３５を有する、本発明の第３の実施形態である。本実施形態では、バンド２２の端部は、Ｄリング３５を通して配置され、次いで、それ自身の上に戻って取り付けられる。本実施形態に見られるように、バンド３２は、非常に短くあり得、単に、Ｄリング３５が取り付けられる突起部分３０上の短突出部であり得る。また、図示されるように、バンド２２は、Ｄリング３５を通して織り込まれ、次いで、それ自身の上に戻って取り付けられる、長い材料のループであるように、本実施形態では、非常に長いものであり得る。そのようなＤリングシステムの利点は、患者が、一端のみを使用して、帯を緊締可能であることである。同様に、本発明の本実施形態では、測定指標が、突起部分３０上に見出されることに留意されたい。２つの突起タブ３４のみ、使用される。
【００４０】
図７Ｂは、図７Ａに非常に類似するが、しかしながら、バンド端部のＤリングの代わりに、突起部分３０は、そこを通過する孔３８を有する。バンド２２は、孔３８を通過し、次いで、それ自身の上にループし戻される。図７Ｂは、本発明が、本体および突起部分の両方から延在するバンドを有するデバイスに限定されないことを例証する。代わりに、本体および突起部分のいずれかは、そこから延在するバンドを有する必要はなく、これらはすべて、本発明の範囲内である。
図８は、帯１０が、互の間に並置されない、バンド２２および３２を有する、本発明の第４の実施形態である。代わりに、各バンド２２は、単に、それぞれのバンド３２上に締結される（好ましくは、Ｖｅｌｃｒｏ（登録商標）マジックテープ（登録商標）によって）。本体部分２０は、複数の番号が付与された穿孔（線１、２、３、４、５、６）を有し、使用されない部分２０Ａをより容易に除去可能にする。本実施形態はさらに、被覆が困難である（肘または膝等）、または可撓性が必要とされる（足または手等）四肢の領域に圧迫を適用するための弾性ラップ５０を含む。弾性ラップ５０はまた、２つの帯１０を使用して、異なる四肢の区画を被覆する時、帯間の接合点を被覆するために使用され得る。また、帯を定位置に係留するために、滑り止め材料から成り、代わりに、帯の上面から延在し得る。
【００４１】
図９は、帯１０が、本体部分２０と突起部分３０との間に位置付けられている中間部分６０を有する、本発明の第５の実施形態である。好ましくは、中間部分６０は、マジックテープ（登録商標）によって本体部分２０に取り付けられ、突起部分３０は、マジックテープ（登録商標）によって中間部分６０に取り付けられる。したがって、本体および突起部分２０および３０は、中間部分６０によって一緒に接続される。患者の四肢は、経時的に、円周が変化するため、いくつかの中間部分６０は、切り取り部分２０Ａの無駄を防止するために、手元に維持することができる。また、図示されるように、バンド２２および３２は、示される帯の長さに沿って、異なる幅から成り得る（例えば、足首／手首では、バンドはより狭く、ふくらはぎ／肘では、バンドはより広い）。また、本実施形態では、バンド３２は、帯の片側を定位置に保持する一方、他側が、巻き重ねられ、取り付けられるように使用することができる、ポケット３７を有し得る。
【００４２】
図１０は、帯１０が、バンド３２内の孔３７を通して受け取られる端部を有する、バンド２２を有する、本発明の第６の実施形態である。そのような相互係止バンドは、身体の四肢の形状に対する一致をもたらす。また、含まれるのは、圧迫を足首−足領域に適用されるための足首／足ラップ部分７０である。また、図示されるように、本体領域２０上に印刷された指標（Ｓ、Ｍ、Ｌ、ＸＬ）が存在する（突起部分３０を位置付けるため）。タブ３４は、患者の四肢のサイズに対応する好ましい（すなわち、Ｓ、Ｍ、Ｌ、ＸＬ）場所において、突起部分３０を本体部分２０上に接続するように取り付けることができる。張力測定カード８０もまた、市販されるように、デバイス内に含まれ得る。張力測定カード８０は、患者の四肢のサイズに関する目盛りを有する。張力測定カード８０は、帯が伸長されるのに伴う帯上に印刷された線間の間隔を測定することによって、帯が伸長される距離を帯バンドにおける張力に関連させる。
【００４３】
図１１Ａは、帯１０（すなわち、本体部分２０および突起部分３０の両方）が、身体の四肢に沿った、帯の内部に沿って走る高圧力および低圧力の交互チャネルを生成するように縫合された指向性縫目２９および３９を伴う、フォームラミネート等の厚い材料から成る、本発明の第７の実施形態である。そのような高圧力および低圧力の交互チャネルは、リンパ系流体の排液を促進し得る。Ｖｅｌｃｒｏ（登録商標）ステー４０を使用して、さらにタブ３４を本体部分２０に固着し得る。図１１Ｄは、本取り付けの拡大投影図を示す。図１１Ｂは、本体部分２０上に戻るようなバンド２２の取り付けの投影図である（バンド２２の端部が、２つのバンド３２間に並置された後）。図１１Ｃは、図１１Ａの帯の一部の投影図であって、本体部分２０に沿って走る指向性縫目２９を示す。図示されるように、図１１Ｂにおける接続の垂直外形（すなわち、厚さ）は、図１１Ｄにおける接続の垂直外形（すなわち、厚さ）より高い。これは、本体および突起部分２０および３０を取り外すより、バンド２２および３２を取り外すのを容易にするという点において、有利であり得る。本実施形態では、身体の四肢の正面を横切って延在するバンド２２および３２は、身体の四肢の後方を横切っての突起および本体部分２０および３０の取り付けより少ない強度で接着する。
【００４４】
図１２Ａは、図１１Ａに示される帯の裏面の図である。点線領域９０は、随意の空気袋または発泡体が、圧力を分散させるために追加され得る、領域である。同様に、領域９２は、潰瘍が、多くの場合、存在し（足首の直上）、スポット圧力が必要とされる、領域を表す。発泡体または空気袋部品９４は、点線領域９０に位置付けられる。図１２Ｂは、対応する投影図である。
【００４５】
図１３Ａは、開放位置における、本発明の第８の実施形態の簡略図である。図１３Ｂは、閉鎖位置における、図１３Ａの帯である。本実施形態では、帯１００は、１つの部品から成る円筒形構造である（図１３Ａおよび１３Ｂでは、帯の外部ストラップは、例証を明確にするために、除去されている。外部ストラップは、図１３Ｃに示される）。デバイスは、最初に、図１３Ａおよび１３Ｃのその「開放」位置に示されるように、供給される。接着タブ１１０は、円筒形デバイスの外側に提供される。帯１００は、身体の四肢上に配置され、次いで、図１３Ｂに示される位置に「閉鎖」されるか、または代替として、帯１００は、閉鎖され、次いで、身体の四肢を覆って適合され得る。動作時、接着タブ１１０（Ｖｅｌｃｒｏ（登録商標）を備え得る）は、示されるように、単に、前方に引張され、円筒形の本体に取り付けられる。これは、帯１００をそれ自身の上に折り重ねられるようにし（図１３Ｂの位置まで）、それによって、帯の円周を短くする（治療用圧力を四肢に印加するように）。前述の実施形態と同様に、接着タブ１１０の位置付けは、特定の患者の四肢の形状に最適に一致するように、設定され得る。したがって、測定指標が、帯１００の外側に印刷され得る（上部および底部縁に沿って、および／または帯１００の中央区分に沿って）。したがって、ユーザは、単に、接着タブ１１０を測定指標に対応する好ましい位置に移動させる。一部の患者の場合、上部タブ１１０は、帯１００に取り付けられる前に、さらに前方に移動され得る（例えば、患者が、より細いふくらはぎを有する場合）。一部の患者の場合、底部タブ１１０は、帯１００に取り付けられる前に、さらに前方に移動され得る（例えば、患者が、より細い足首領域を有する場合）。図１３Ｃは、外部バンドまたはストラップ２２および３２を示す（図１３Ｃに示されるように、反対側の帯の外部に取り付けられる）。バンド２２および３２は、前述と同一システムを使用して、患者の四肢の周囲に帯を緊締するために使用される。図１３Ｄは、図１３Ｂに対応し、帯１００が、身体の四肢を中心として、その「閉鎖」位置に移動された場合の折り重ねられた区分１２０を示す。デバイスの種々の実施形態では、折り重ねられた区分１２０は、患者快適性のために、裁断および除去され得ることを理解されたい。これは、本質的に、前述の２つの部品から成る（突起および本体）デバイスと同一の帯の動作をもたらすであろう。
【図１Ａ】
0005843367.tif 000002
【図２】
0005843367.tif 000003
【図３】
0005843367.tif 000004
【図４】
0005843367.tif 000005
【図５】
0005843367.tif 000006
【図６】
0005843367.tif 000007
【図７Ａ】
0005843367.tif 000008
【図７Ｂ】
0005843367.tif 000009
【図８】
0005843367.tif 000010
【図９】
0005843367.tif 000011
【図１０】
0005843367.tif 000012
【図１１】
0005843367.tif 000013
【図１２】
0005843367.tif 000014
【図１３Ａ】
0005843367.tif 000015
【図１３Ｂ】
0005843367.tif 000016
【図１３Ｃ】
0005843367.tif 000017
【図１３Ｄ】
0005843367.tif 000018